(57)【要約】【課題】異物（糸くず）の発生を極力抑え運動の機能性を確保することができる上衣部を提供する。【解決手段】左袖２３と左前身頃２１とでＬ字状に形成された左袖前身頃３と、右袖３１と右前身頃２９とでＬ字状に形成された右袖前身頃５と、後身頃７とで身頃と袖とが構成されている上衣部１である。【選択図】図１
2014167177.tif 000002
【特許請求の範囲】
【請求項１】
左袖と左前身頃とでＬ字状に形成された左袖前身頃と、
右袖と右前身頃とでＬ字状に形成された右袖前身頃と、
後身頃と、
で身頃と袖とが構成されていることを特徴とする上衣部。
【請求項２】
請求項１に記載の上衣において、
前記左袖前身頃における左前身頃の左端の直線部分と、前記左袖前身頃における左袖の、前記左前身頃の左端に隣接している一端の直線部分との交差角度が、鈍角になっており、
前記右袖前身頃における右前身頃の右端の直線部分と、前記右袖前身頃における右袖の、前記右前身頃の右端に隣接している一端の直線部分との交差角度が、鈍角になっていることを特徴とする上衣部。
【請求項３】
請求項１または請求項２に記載の上衣において、
前記左袖前身頃、前記右袖前身頃は、布帛で構成されており、
前記左袖前身頃における左袖の延伸方向と前記布帛の縦糸の延伸方向が斜めに交差しており、
前記右袖前身頃における右袖の延伸方向と前記布帛の縦糸の延伸方向が斜めに交差していることを特徴とする上衣部。
【発明の詳細な説明】
【技術分野】
【０００１】
本発明は、上衣（上衣部）に係り、たとえば、異物の発生が嫌われる環境で使用されるものに関する。
【背景技術】
【０００２】
従来、上着地に肩ヨークを縫い合わせる上着（上衣）において、前記上着地を上着の前面側と後面側とにわたるものとし、前記肩ヨークを上着の前面側と後面側とにわたるようなものとし、上着の前面側と後面側とにわたる肩ヨークの端部の縫い合わせ縁の角度を、上着の前面側と後面側とにわたる前記肩ヨークと縫い合わせる前記上着地の縫い合わせ縁の空間部の角度よりも小さくしたものが知られている（たとえば、特許文献１参照）。
【先行技術文献】
【特許文献】
【０００３】
【特許文献１】特開平１−１８３５０４号公報
【発明の概要】
【発明が解決しようとする課題】
【０００４】
ところで、食品産業向けのユニフォーム（たとえば上衣）では、食品に異物が混入することを防止することが重要である。異物は、主に、ユニフォームの生地（布）の裁ち目から発生する糸くずによって生成される。そこで、発生した糸くずの飛散を防止するために、裁ち目を折り返し縫製している。
【０００５】
しかし、特許文献１に記載されている従来の上衣では、生地の裁ち目が多く、縫い目も多くなるので、糸くずの飛散を的確に防止することは難しい。たとえば、裁ち目を折り返し縫製している糸からも糸くずが発生し、飛散するからである。
【０００６】
また、特許文献１に記載されている従来の上衣では、生地の裁ち目が多く、縫い目も多いので、縫い目によって上衣の伸縮性が損なわれ、着用者の運動の機能性が損なわれている。
【０００７】
本発明は、上記問題点に鑑みてなされたものであり、異物（糸くず）の発生を極力抑えることができるとともに、着用者の運動の機能性を確保することができる上衣を提供することを目的とする。
【課題を解決するための手段】
【０００８】
請求項１に記載の発明は、左袖と左前身頃とでＬ字状に形成された左袖前身頃と、右袖と右前身頃とでＬ字状に形成された右袖前身頃と、後身頃とで身頃と袖とが構成されている上衣部である。
【０００９】
請求項２に記載の発明は、請求項１に記載の上衣において、前記左袖前身頃における左前身頃の左端の直線部分と、前記左袖前身頃における左袖の、前記左前身頃の左端に隣接している一端の直線部分との交差角度が、鈍角になっており、前記右袖前身頃における右前身頃の右端の直線部分と、前記右袖前身頃における右袖の、前記右前身頃の右端に隣接している一端の直線部分との交差角度が、鈍角になっている上衣部である。
【００１０】
請求項３に記載の発明は、請求項１または請求項２に記載の上衣において、前記左袖前身頃、前記右袖前身頃は、布帛で構成されており、前記左袖前身頃における左袖の延伸方向と前記布帛の縦糸の延伸方向が斜めに交差しており、前記右袖前身頃における右袖の延伸方向と前記布帛の縦糸の延伸方向が斜めに交差している上衣部である。
【発明の効果】
【００１１】
本発明によれば、異物（糸くず）の発生を極力抑えることができる上衣を提供することができるという効果を奏する。
【図面の簡単な説明】
【００１２】
【図１】本発明の実施形態に係る上衣の正面図であって、線ファスナを閉じた状態を示した図である。
【図２】本発明の実施形態に係る上衣の正面図であって、線ファスナを開いた状態を示した図である。
【図３】本発明の実施形態に係る上衣の背面図である。
【図４】本発明の実施形態に係る上衣の身頃の材料取りを示す図である。
【図５】本発明の実施形態に係る上衣の左袖前身頃を示す図である。
【図６】本発明の実施形態に係る上衣の後身頃を示す図である。
【図７】本発明の実施形態に係る線ファスナの設置構造を示す図であり、（ｂ）は、図２におけるＶＩＩＢ−ＶＩＩＢ断面を示す図であり、（ｃ）は、図１におけるＶＩＩＣ−ＶＩＩＣ断面を示す図であり、（ａ）は、理解を容易にするために、（ｂ）の上下方向でのみ寸法を拡大して示した図である。
【図８】従来の線ファスナの設置構造を示す図であり、図７（ａ）に対応した図である。
【発明を実施するための形態】
【００１３】
本発明の実施形態に係る上衣１は、図１〜図４で示すように、左袖前身頃３と右袖前身頃５と後身頃７とを備えて構成されている。さらに説明すると、たとえば、１枚の左袖前身頃３と１枚の右袖前身頃５と１枚の後身頃７との３枚の身頃部材のみを縫い合わせて接合することで、１着の上衣１の身頃（上衣１のうちの身頃の部位）と袖（上衣１のうちの左右の袖の部位）とが構成されている。
【００１４】
身頃（上衣１のうちの身頃の部位）とは、上衣１のうちで、人（上衣１の着用者）の体幹部（たとえば、肩部を含む胸部と臍部よりも上方に位置する腹部の部位）を覆う部位のことであり、概ね筒状になっている。そして、前側を前身頃といい、背中側を後身頃という。袖（上衣１のうちの左右の袖の部位）とは、上衣１のうちで、人（上衣１の着用者）の左右の腕をそれぞれ覆う部位のことであり、概ね筒状になっており、身頃の上部左右で身頃から左右方向に突出している。身頃の筒の内部と左右の袖の内部とは当然につながっている。
【００１５】
左袖前身頃３は、左袖（左袖部）２３と左前身頃２１とでＬ字状に形成されており、右袖前身頃５は、右袖（右袖部）３１と右前身頃２９とでＬ字状に形成されている。左袖前身頃３と右袖前身頃５とはお互いが対称な形状に形成されている。後身頃７は、左右対称に形成されている。これにより、上衣１の身頃と袖とは左右対称に形成されている。
【００１６】
上衣１は、食品加工用の上衣作業服（食品産業用のユニフォーム）として使用されるものであるが、これに限られることは無く、ワイシャツ等のシャツ、アンダーウェアのシャツであってもよい。また、上衣１は長袖になっているが、半袖になっていてもよい。
【００１７】
なお、１着の上衣１は、１枚の左袖前身頃３と１枚の右袖前身頃５と１枚の後身頃７とに加えて、１つの右下前チンガード９と、１枚の外衿１３と、１枚の内衿１１と、１枚の左前立て１５と、１つの線ファスナ１７と、一対の袖口１９とを備えて構成されている。
【００１８】
左袖前身頃３は、素材から切り出されて縫合前の平板状に展開されている状態をこの厚さ方向から見ると、前述したようにまた図５で示すように、左前身頃２１と左袖２３とで「Ｌ」字状に形成されている。また、左袖前身頃３における左前身頃２１の左端の直線部分２５と、左袖前身頃３における左袖２３の、左前身頃２１の左端に隣接している一端の直線部分２７との交差角度（劣角）αが、鈍角になっている。
【００１９】
なお、図５に示す線分Ｌは、左袖前身頃３が他の部材と縫い合わされて上衣１となり、この上衣１を着用者が着たときに、着用者の肩の上端を通り腕の先端側まで延びる仮想線である。
【００２０】
右袖前身頃５も、左袖前身頃３と同様にして、素材から切り出されて縫合前の平板状に展開されている状態をこの厚さ方向から見ると、右前身頃２９と右袖３１とで「Ｌ」字状に形成されている。また、右袖前身頃５における右前身頃２９の右端の直線部分３３と、右袖前身頃５における右袖３１の、右前身頃２９の右端に隣接している一端の直線部分３５との交差角度（劣角）αが、鈍角になっている（図４参照）。
【００２１】
左袖２３（右袖３１）は、前述した一端の直線部分２７（３５）と、袖口１９が接合される箇所３７（３９）を間にして前述した一端の直線部分２７（３５）と対向している他端の直線部分４１（４３）とをお互いに縫い合わせて接合することで、筒状に形成される。左袖２３（右袖３１）の径は、袖の先端に向かうにしたがって（身頃から離れるにしたがって）次第に小さくなっている。
【００２２】
左袖前身頃３の左前身頃２１の左端の直線部分２５と後身頃７との縫い目４７は、前側（人の体の中心を含む前頭面よりも前側）に存在しているとともに、下側に向かうにしたがって、次第に前側に移動している。
【００２３】
さらに、説明すると、上衣１を着用者が着用した場合、左前身頃２１の左端の直線部分２５と後身頃７との縫い目４７は、上端が脇の下の前側部位（両腕が胴から分かれ出るあたりの部位であって前側に位置している部位）に位置し、下端が臍部の左下端（臍部と左側の側腹部と左側の鼡径部と恥骨部との境界のあたり）に位置しており、上端から下端までほぼ直線状に延びている。
【００２４】
右袖前身頃５の右前身頃２９の右端の直線部分３３と後身頃７との縫い目４９も、左前身頃２１の左端の直線部分２５のものと同様にして、前側（人の体の中心を含む前頭面よりも前側）に存在しているとともに、下側に向かうにしたがって、次第に前側に移動している。
【００２５】
また、上衣１を人が着用せず平板状に展開してある状態で身頃を上下方向に伸ばして袖を左右の水平方向に伸ばすと、上衣１の脇の下の箇所に弛み４５が生成されるようになっている。これにより、上衣１を着用している人が、腕を上方に上げやすくなっている。
【００２６】
左袖前身頃３と右袖前身頃５と後身頃７と右下前チンガード９と外衿１３と内衿１１と左前立て１５とは、たとえば発塵しにくい布帛で構成されている。布帛は、伸縮性のほとんど無い縦糸と伸縮性のほとんど無い横糸（延伸方向が縦糸の延伸方向に対してほぼ直交している横糸）とを織ることで生成されている。
【００２７】
図５で示すように、左袖前身頃３における左前身頃２１は、布目に沿って裁断されており、縦糸が上下方向に延伸し、横糸が左右方向に延伸している。なお、図４や図５で示す碁盤目状の細線は、布帛の縦糸と横糸とを示している。
【００２８】
左袖前身頃３における左袖２３の延伸方向（人の左腕の延伸方向）と布帛の縦糸の延伸方向と横糸の延伸方向とは、お互いが斜めに交差している（左袖２３の延伸方向が布帛のバイアス方向になっている）。
【００２９】
同様にして、右袖前身頃５における右前身頃２９は、布目に沿って裁断されており、縦糸が上下方向に延伸し、横糸が左右方向に延伸している。右袖前身頃５における右袖３１の延伸方向と布帛の縦糸の延伸方向と横糸の延伸方向とが斜めに交差している。
【００３０】
また、上衣１では、左袖２３を筒状に形成するための縫い目５１と、右袖３１を筒状に形成するための縫い目５３とが、前側（人の体の中心を含む前頭面よりも前側）に存在している。
【００３１】
上衣１についてさらに説明すると、左袖前身頃３は、図４や図５で示すように、直線状もしくは円弧状等の線状の縁部５５と縁部５７と縁部５９と縁部６１と縁部６３（４１）と縁部６５（３７）と縁部６７（２７）と縁部６９（２５）とをこの順につなげてこれらの縁部で囲まれた形状に形成されている。
【００３２】
右袖前身頃５は、左袖前身頃３と同様にしてまた図４で示すように、縁部７１と縁部７３と縁部７５と縁部７７と縁部７９（４３）と縁部８１（３９）と縁部８３（３５）と縁部８５（３３）とをこの順につなげてこれらの縁部７１〜８５で囲まれた形状に形成されている。
【００３３】
後身頃７は、左袖前身頃３と同様にしてまた図４や図６で示すように、縁部８７と縁部８９と縁部９１と縁部９３と縁部９５と縁部９７とをこの順につなげてこれらの縁部８７〜９７で囲まれた形状に形成されている。
【００３４】
上衣１の身頃と袖とは、次のＳ１〜Ｓ６で示す縁部を糸で縫合することで形成されている。
【００３５】
Ｓ１；左袖前身頃３の縁部６３と縁部６７との縫合（縫い目５１が生成される）。Ｓ２；左袖前身頃３の縁部６９と後身頃７の縁部９１との縫合（縫い目４７が生成される）。Ｓ３；左袖前身頃３の縁部６１と後身頃７の縁部８９との縫合（縫い目９０が生成される）。Ｓ４；右袖前身頃５の縁部７９と縁部８３との縫合（縫い目５３が生成される）。Ｓ５；右袖前身頃５の縁部８５と後身頃７の縁部９５との縫合（縫い目４９が生成される）。Ｓ６；右袖前身頃５の縁部７７と後身頃７の縁部９７との縫合（縫い目９２が生成される）。
【００３６】
左袖前身頃３の縁部５７と右袖前身頃５の縁部７３とには、線ファスナ１７が設置される。左袖前身頃３の縁部５９と右袖前身頃５の縁部７５には、内衿１１と外衿１３とが縫合される。また、左袖前身頃３の縁部６５には、左の袖口１９が縫合され、右袖前身頃５の縁部８１には、右の袖口１９が縫合される。
【００３７】
なお、上衣１では、たとえば、縫合（縫製）に使用される糸、袖口１９、線ファスナ１７、袖口１９からも、発塵しにくくなっている。
【００３８】
また、左袖前身頃３と右袖前身頃５と後身頃７と右下前チンガード９と外衿１３と内衿１１と左前立て１５とは、１枚の矩形状の素材９９から、２セット分が切り出されている（図４参照）。これにより材料の無駄が少なくなっており、収率が向上している。
【００３９】
次に、線ファスナの設置構造１０１について、図７等を参照しつつ説明する。線ファスナの設置構造１０１は、上衣１に採用されているが、上衣に限定されるものではなく、下衣、ツナギ等の衣服に採用されていてもよい。
【００４０】
線ファスナの設置構造１０１は、線ファスナ１７と線ファスナ設置体１０７（たとえば、左袖前身頃３もしくは右袖前身頃５）と複数本の縫い目とを備えて構成されている。
【００４１】
線ファスナ１７は、帯状のテープ１０３とこのテープ１０３の幅方向の一端に設けられたエレメント１０５とを備えて構成されている。
【００４２】
線ファスナ設置体１０７は、布で構成されており、本体部１０９と、布の糸くずが散らばることを防止すべく布の端部を隠すための所定の幅の折り返し部１１１とを備えて構成されている。折り返し部１１１は本体部１０９の端で折り返されて本体部１０９の一部と重なっており、折り返し部１１１の幅方向の一端が本体部１０９の端と一致している。
【００４３】
複数本の縫い目は、線ファスナ設置体１０７の本体部１０９と線ファスナ設置体１０７の折り返し部１１１とテープ１０３とをお互いに接合している。
【００４４】
これにより、線ファスナ設置体１０７の本体部１０９が表側（外側）に位置し、線ファスナ１７のテープ１０３が裏側（内側）に位置し、線ファスナ設置体１０７の折り返し部１１１が線ファスナ設置体１０７の本体部１０９と線ファスナ１７のテープ１０３との間に位置している（折り返し部１１１が線ファスナ設置体１０７の本体部１０９と線ファスナ１７のテープ１０３とに挟まれている）。
【００４５】
また、線ファスナ１７の幅方向の一端側の部位が線ファスナ設置体１０７の折り返し部１１１の幅方向で、線ファスナ設置体１０７の本体部１０９と線ファスナ設置体１０７の折り返し部１１１との境界から、線ファスナ設置体１０７の本体部１０９と折り返し部１１１とから離れる側に突出している。
【００４６】
また、線ファスナ１７のテープ１０３や線ファスナ設置体１０７の厚さ方向から見ると、突出している線ファスナ１７の一端側の部位のところには、線ファスナ設置体１０７が非存在になっている。
【００４７】
また、複数本のうちの１本の縫い目のみが、線ファスナ設置体１０７の本体部１０９を縫っていることで、線ファスナ設置体１０７の本体部１０９の表側に現れている。
【００４８】
また、線ファスナ設置体１０７の折り返し部１１１の幅方向および線ファスナ１７のテープ１０３の幅方向で、線ファスナ１７の幅方向他端側の方向（縫い目からの線ファスナ１７の一端側の部位の突出方向とは反対方向；図７に矢印Ａ１，Ａ２で示す方向）への線ファスナ１７のテープ１０３と折り返し部１１１と線ファスナカバー１１３（たとえば、左前立て１５）とのオーバーハング量（突出量）が０．２ｍｍ〜７ｍｍの範囲内になっている。
【００４９】
すなわち、図７（ａ）で示す各寸法Ｌ１，Ｌ２，Ｌ３，Ｌ４のいずれもが、０．２ｍｍ〜７ｍｍの範囲内の値になっている。
【００５０】
線ファスナの設置構造１０１（１０１ａ）について、図７（ａ）〜（ｃ）の左側に示されているものを参照しつつさらに詳しく説明する。
【００５１】
線ファスナの設置構造１０１ａは、線ファスナ１７と、線ファスナ設置体１０７（たとえば、右袖前身頃５）と第１の縫い目１１５と第２の縫い目１１７とを備えて構成されている。
【００５２】
線ファスナ１７は、帯状のテープ（たとえば合成樹脂の糸を編んだ態様形成された一定の幅の細長い板状のテープ）１０３とこのテープ１０３の幅方向の一端に設けられたエレメント１０５とを備えて構成されている。
【００５３】
線ファスナ設置体１０７（１０７ａ）は、布（たとえば布帛）で構成されており、本体部１０９（１０９ａ）と、布の糸くずが散らばることを防止すべく布の端部を隠すための所定の幅の折り返し部１１１（１１１ａ）とを備えて構成されている。
【００５４】
第１の縫い目１１５は、線ファスナ係合状態で、テープ１０３の幅方向（図７の左右方向）の中間部と折り返し部１１１ａの幅方向の一端部（図７の右端部）とをお互いに縫い合わせて（接合して）いる。
【００５５】
線ファスナ係合状態では、線ファスナ設置体１０７ａの厚さ方向（図７の上下方向）とテープ１０３の厚さ方向とがお互いに一致し、線ファスナ設置体１０７ａの折り返し部１１１ａの延伸方向（図７の紙面に対して直交する方向）とテープ１０３の長手方向とがお互いに一致し、線ファスナ設置体１０７ａの折り返し部１１１ａの幅方向（図７の左右方向）とテープ１０３の幅方向とがお互いに一致している。
【００５６】
また、線ファスナ係合状態では、折り返し部１１１ａの幅方向およびテープ１０３の幅方向で、線ファスナ１７のテープ１０３の幅方向の一端側（図７の右側）の部位とエレメント１０５とが、線ファスナ設置体１０７ａの本体部１０９ａと折り返し部１１１ａとの境界が存在している折り返し部１１１ａの幅方向の一端から突出し、テープ１０３の幅方向の他端が折り返し部１１１ａの幅方向の他端から僅かに（図７（ａ）の寸法Ｌ１が３ｍｍ〜４ｍｍ程度になっている。寸法Ｌ１が１ｍｍ〜７ｍｍ程度でもよい）突出している。
【００５７】
また、線ファスナ係合状態では、本体部１０９ａとテープ１０３とが折り返し部１１１ａを挟み込むようにして本体部１０９ａと折り返し部１１１ａとテープ１０３とがお互いに重なっている。
【００５８】
第２の縫い目１１７は、第１の縫い目１１５が設けられた後に設けられたものである。また、第２の縫い目１１７は、線ファスナ係合状態で、テープ１０３の幅方向の他端部（図７の左端部）と折り返し部１１１ａの他端部（図７の左端部）と本体部１０９ａとをお互いに縫い合わせて接合している。
【００５９】
さらに説明すると、折り返し部１１１ａは、帯状の第１の部位１１９と、帯状の第２の部位１２１とを備えて構成されている。第１の部位１１９は、本体部１０９ａの端で本体部１０９ａに対して１８０°折り返されて本体部１０９ａに重なっている。第１の部位１１９の幅方向の一端が本体部１０９ａの端（図７では右端）と一致している。
【００６０】
第２の部位１２１は、第１の部位１１９の幅方向の他端（図７では左端）で第１の部位１１９に対して１８０°折り返されて第１の部位１１９と本体部１０９ａとに挟まれ、第１の部位１１９と本体部１０９ａとに重なっている。第２の部位１２１の幅は第１の部位１１９の幅よりも狭くなっている。
【００６１】
第１の縫い目１１５（第１の縫い目を構成している糸）と第２の縫い目１１７（第２の縫い目を構成している糸）とは、テープ１０３や折り返し部１１１ａの長手方向（延伸方向;図７の紙面に対して直交する方向）に延びている。
【００６２】
第１の縫い目１１５は、第１の部位１１９の幅方向で、第１の部位１１９の一端（図７では右端）の近傍に存在している（第１の部位１１９の一端からたとえば１ｍｍ程度左側に離れて存在している。０．２ｍｍ〜３ｍｍ程度離れていてもよい）。
【００６３】
第１の縫い目１１５は、第１の部位１１９とテープ１０３とを縫い合わせているだけで、第２の部位１２１および本体部１０９ａを縫ってはいない。したがって、第１の縫い目１１５は、本体部１０９ａで隠されており、上衣１の外側には露出していない。なお、第２の部位１２１の幅を若干大きくして、第１の縫い目１１５が、第１の部位１１９と第２の部位１２１とテープ１０３とを縫い合わせている構成であってもよい。
【００６４】
第２の縫い目１１７は、第１の部位１１９の幅方向で、第１の部位１１９の他端（図７では左端）の近傍に存在している（第１の部位１１９の他端からたとえば１ｍｍ程度右側に離れて存在している。図７（ａ）の寸法Ｌ２が１ｍｍ程度になっている。寸法Ｌ２が０．２ｍｍ〜３ｍｍ程度になっていてもよい）。
【００６５】
第２の縫い目１１７は、テープ１０３と第１の部位１１９と第２の部位１２１と本体部１０９ａとを縫い合わせている。したがって、第２の縫い目１１７は、第１の縫い目１１５とは異なり、上衣１の外側に露出している。
【００６６】
上述したように、折り返し部１１１ａが形成され、第１の縫い目１１５と第２の縫い目１１７とが設けられていることで、線ファスナ設置体１０７ａの布の端（第２の部位１２１の端）１２３が、第１の部位１１９と本体部１０９ａとで包まれていて露出しておらず、線ファスナ設置体１０７ａの布を構成している糸のほつれによって糸くずが散らばることが無くなる。
【００６７】
なお、上述した線ファスナ係合状態で、テープ１０３の幅方向の他端（図７の左端）が、折り返し部１１１ａの幅方向の他端から折り返し部から離れる方向（図７の左側）に僅かに突出しているとしているが、この形態を適宜変更してもよい。
【００６８】
たとえば、テープ１０３の幅方向の他端と折り返し部１１１ａの幅方向の他端とがお互いにほぼ一致している形態に変更してもよいし、もしくは、折り返し部１１１ａの幅方向の他端がテープ１０３の幅方向の他端からテープ１０３から離れる方向に僅かに（３ｍｍ〜４ｍｍ程度；１ｍｍ〜７ｍｍ程度でもよい）突出している形態に変更してもよい。
【００６９】
テープ１０３の幅方向の他端と折り返し部１１１ａの幅方向の他端とがお互いにほぼ一致している形態になっている場合には、第２の縫い目１１７は、第１の部位１１９の幅方向で、第１の部位１１９の他端およびテープ１０３の他端の近傍に存在している（第１の部位１１９やテープ１０３の左端からたとえば１ｍｍ程度離れて存在している。０．２ｍｍ〜３ｍｍ程度離れていてもよい）。
【００７０】
折り返し部１１１ａの幅方向の他端がテープ１０３の幅方向の他端からテープ１０３から離れる方向に僅かに突出している形態になっている場合には、第２の縫い目１１７は、テープ１０３の幅方向で、テープ１０３の他端の近傍に存在している。テープ１０３の他端からたとえば１ｍｍ程度離れて存在している。０．２ｍｍ〜３ｍｍ程度離れていてもよい。
【００７１】
次に、線ファスナの設置構造１０１（１０１ｂ）について、図７（ａ）〜（ｃ）の右側に示されているものを参照しつつさらに詳しく説明する。
【００７２】
線ファスナの設置構造１０１ｂは、線ファスナカバー１１３（左前立て１５）が設けられている点が、線ファスナの設置構造１０１ａと異なり、その他の点は、線ファスナの設置構造１０１ａとほぼ同様に構成されている。
【００７３】
すなわち、線ファスナの設置構造１０１ｂは、線ファスナ１７と線ファスナ設置体１０７（たとえば左袖前身頃３）と線ファスナカバー１１３（たとえば、左前立て１５）と第１の縫い目１２５と第２の縫い目１２７とを備えて構成されている。
【００７４】
線ファスナ設置体１０７（１０７ｂ）は、本体部１０９（１０９ｂ）と、布の糸くずが散らばることを防止すべく布の端部を隠すための所定の幅の折り返し部１１１（１１１ｂ）とを備えて構成されている。
【００７５】
線ファスナカバー１１３も、布（たとえば布帛）で構成されている。また、線ファスナカバー１１３は、本体部１３５と折り返し部１３７とを備えて構成されている。帯状の本体部１３５は、所定の幅の外側部位１２９とこの外側部位１２９の幅とほぼ同じ幅の内側部位１３１とがお互いに重なっている２重構造になっている。
【００７６】
線ファスナカバー１１３では、上記２重構造を形成するための折り線１３３が本体部１３５の幅方向の一端（図７では左端）に位置している。折り返し部１３７は、布の糸くずが散らばることを防止すべく布の端部を隠すために、内側部位１３１の幅方向の他端（図７では右端）で内側部位１３１につながり折り返されて生成されている。
【００７７】
折り返し部１３７の幅（図７の左右方向の寸法）は、本体部１３５の幅よりも狭くなっている。また、折り返し部１３７は内側部位１３１の他端で折り返されて本体部１３５の一部と重なっている。外側部位１２９の他端（図７では右端）は、内側部位１３１と折り返し部１３７とで挟まれている。
【００７８】
第１の縫い目１２５は、線ファスナカバー・線ファスナ係合状態で、線ファスナ設置体１０７ｂの本体部１０９ｂと線ファスナカバー１１３の内側部位１３１とが線ファスナ設置体１０７ｂの折り返し部１１１ｂと線ファスナカバー１１３の折り返し部１３７と線ファスナカバー１１３の外側部位１２９の他端部（図７では右端）とを挟み込むように、線ファスナ設置体１０７ｂの本体部１０９ｂの幅方向の端部（図７では左端）と線ファスナカバー１１３の本体部１３５の幅方向の中間部と線ファスナ１７のテープ１０３の幅方向の中間部とをお互いに縫い合わせて接合している。
【００７９】
線ファスナカバー・線ファスナ係合状態では、線ファスナ設置体１０７ｂの厚さ方向（図７では上下方向）と線ファスナカバー１１３の厚さ方向とテープ１０３の厚さ方向とがお互いに一致し、線ファスナカバー１１３の折り返し部１３７の延伸方向（図７の紙面に対して直交する方向）と線ファスナ設置体１０７ｂの折り返し部１１１ｂの延伸方向とテープ１０３の長手方向とがお互いに一致し、線ファスナカバー１１３の幅方向（図７では左右方向）と線ファスナ設置体１０７ｂの折り返し部１１１ｂの幅方向とテープ１０３の幅方向とがお互いに一致している。
【００８０】
また、線ファスナカバー・線ファスナ係合状態では、線ファスナ設置体１０７ｂの折り返し部１１１ｂの幅方向およびテープ１０３の幅方向および線ファスナカバー１１３（本体部１３５、折り返し部１３７）の幅方向で、線ファスナ１７のテープ１０３の幅方向の一端側の部位（図７では左側の部位）とエレメント１０５とが、線ファスナ設置体１０７ｂの折り返し部１１１ｂの幅方向の一端（線ファスナ設置体１０７ｂの本体部１０９ｂと折り返し部１１１ｂとの境界が存在している折り返し部１１１ｂの幅方向の一端；図７では左端）から突出している。
【００８１】
また、線ファスナカバー・線ファスナ係合状態では、テープ１０３の幅方向の他端（図７では右端）と線ファスナカバー１１３の幅方向の他端とがお互いにほぼ一致し、これらの幅方向の各他端部（テープ１０３の幅方向の他端と線ファスナカバー１１３の幅方向の他端部）が、線ファスナ設置体１０７ｂの折り返し部１１１ｂの幅方向の他端（図７では右端）から突出し、線ファスナ設置体１０７ｂの本体部１０９ｂと線ファスナカバー１１３の内側部位１３１とが、線ファスナ設置体１０７ｂの折り返し部１１１ｂと線ファスナカバー１１３の折り返し部１３７と線ファスナカバー１１３の外側部位１２９の他端部（図７では右側の端部）とを挟み込んでいる。
【００８２】
また、線ファスナカバー・線ファスナ係合状態では、線ファスナ設置体１０７ｂの本体部１０９ｂと線ファスナ１７のテープ１０３とが、線ファスナ設置体１０７ｂの折り返し部１１１ｂと線ファスナカバー１１３の折り返し部１３７と線ファスナカバー１１３の外側部位１２９の他端部（内側部位との境界の折り返し部位とは反対側の端部）と線ファスナカバー１１３の内側部位１３１の他端部（図７では右側の端部）とを挟み込むようにして、線ファスナ設置体１０７ｂの本体部１０９ｂと線ファスナ設置体１０７ｂの折り返し部１１１ｂと線ファスナカバー１１３の折り返し部１３７と線ファスナカバー１１３の外側部位１２９と線ファスナカバー１１３の内側部位１３１とテープ１０３とがお互いに重なっている。
【００８３】
なお、線ファスナの設置構造１０１ｂにおいて、線ファスナの設置構造１０１ａの場合と同様にして、テープ１０３の右端または線ファスナカバー１１３の右端が、図７に示すものよりも僅かに右側に突出していてもよい。
【００８４】
第２の縫い目１２７は、第１の縫い目が設けられた後に設けられたものであり、線ファスナカバー・線ファスナ係合状態で、線ファスナ設置体１０７ｂの本体部１０９ｂと線ファスナカバー１１３の折り返し部１３７と線ファスナカバー１１３の内側部位１３１の幅方向の他端部（図７では右端部）と線ファスナ１７のテープ１０３の幅方向の他端部（図７では右端部）をお互いに縫い合わせて接合している。
【００８５】
各縫い目１２５，１２７で縫合がなされていることで、図７（ａ）に示す布の端１３９，１４１，１４３が隠されており、上衣１からの糸くず等の飛散が防止されるようになっている。
【００８６】
なお、線ファスナの設置構造１０１ｂにおいて、上述した線ファスナカバー・線ファスナ係合状態で、第１の縫い目１２５と第２の縫い目１２７とが設けられる前に、仮固定用縫い目１４５を設けてもよい。仮固定用縫い目１４５は、線ファスナカバー１１３の外側部位１２９の幅方向の他端部と線ファスナカバー１１３の内側部位１３１の幅方向の他端部とをお互いに縫い合わせて接合している。
【００８７】
また、線ファスナの設置構造１０１ｂにおいて、図７（ａ）に破線で示すような補強材１４７を設けてもよい。補強材１４７は、合成樹脂等の材料で帯状に構成されている。そして、外側部位１２９と内側部位１３１との間で外側部位１２９と内側部位１３１とのほぼ全幅にわたって設けられている。また、補強材１４７は、第１の縫い目１２５と、仮固定用縫い目１４５が存在する場合には仮固定用縫い目１４５とで、縫われている。
【００８８】
線ファスナの設置構造１０１ａと線ファスナの設置構造１０１ｂとを備えた線ファスナ使用物（たとえば上衣１）では、線ファスナの設置構造１０１ａのエレメント１０５と線ファスナの設置構造１０１ｂのエレメント１０５とを、スライダ（図示せず）を用いて接合したとき、図７（ｃ）で示すように、線ファスナカバー１１３が、線ファスナの設置構造１０１ａの第２の縫い目１１７を覆うように構成されている。
【００８９】
上衣１によれば、身頃と袖とが、マチ材等の部材を使用することなく、左袖前身頃３と右袖前身頃５と後身頃７との３つの部材のみで構成されているので、布（生地）の裁ち目やこの裁ち目を隠すための折り返し部と縫い目とを、従来のものに比べて削減することができる。すなわち、縫い目が、首から両脇２箇所、袖から脇を通る２箇所の計４箇所のみになっているので、布（生地）の裁ち目や裁ち目を隠すための折り返し部を形成している縫い目からの糸くず等の異物の発生（発塵）を抑えることができる。
【００９０】
また、上衣１によれば、上述したように、折り返し部と縫い目とが従来のものに比べて削減されているので、折り返し部と縫い目による上衣１の伸縮性が向上しており、着用者の運動の機能性が確保されている（着用者が運動や作業等をしやすくなっている）。
【００９１】
また、食品加工用の上衣作業服等業務用のユニフォームでは、一般の衣類よりも高温状態で洗濯するのであるが、このときに、縫い目の糸に負荷がかかり、縫い目の糸が伸縮し見栄えが悪くなってしまう。しかし、上衣１では、縫い目の量が削減されているので、洗濯後の見栄えの悪化が抑制される。
【００９２】
また、上衣１によれば、左袖前身頃３（右袖前身頃５）における左前身頃２１（右前身頃２９）の左端（右端）の直線部分２５（３３）と、左袖前身頃３（右袖前身頃５）における左袖２３（右袖３１）の一端の直線部分２７（３５）との交差角度αが、鈍角になっているので、左袖前身頃３と右袖前身頃５と後身頃７とを縫うことで生成された上衣１が、ラグラン袖を備えた形態になっている。そして、上衣１の着用者が動きやすくなっている。
【００９３】
すなわち、上述したような鈍角αになっていることで、ラグラン袖を備えた上衣１の着用者が腕を上方に上げるときに、生地（布）に弛み４５等の余裕があり、腕を上方に上げやすくなっている。
【００９４】
また、人は、胴体を前かがみにして腕を主に前側に移動することで作業をする。胴体や腕を後側に動かして作業することは、体の構造上まず行わないのである。上衣１では、左前身頃２１の左端の直線部分２５（右前身頃２９の右端の直線部分３３）と後身頃７との縫い目４７（４９）が、前側に存在しているとともに下側に向かうにしたがって次第に前側（内側）に移動しているので、胴体や腕を前側に動かしての作業がしやすくなっている。なぜならば、縫い目の箇所は、縫い目以外の上衣１の箇所に比べて伸縮性に劣るからであり、伸縮性に劣る縫い目の箇所が上衣１の後側に存在していると、胴体や腕を前側に動かすときに上衣が延びにくくつっぱってしまうからである。
【００９５】
また、上衣１によれば、左袖前身頃３（右袖前身頃５）における左袖２３（右袖３１）の延伸方向と布帛の縦糸の延伸方向が斜めに交差していて、袖の延伸方向が布帛のバイアス方向になっているので、袖がこの延伸方向や径方向で伸縮性を備えており、上衣１の着用者が腕の軽快に動かせるようになっている。
【００９６】
また、上衣１によれば、前方の縫い目をなくしつつ運動機能性を追求するため、図４、図５で示す角度αを鈍角にしたので、自然とLの図４、図５で示す仮想線がバイアス地になる。そして、身頃と袖がひと続きになっていて、且つ弛み４５等を持たせる設計によって、無理なく運動機能性得ることができる。
【００９７】
また、上衣１によれば、左袖２３を筒状に形成するための縫い目５１と右袖３１を筒状に形成するための縫い目５３とが、前側に存在しているので、上衣１の着用者が腕を前側に移動させやすくなっている。
【００９８】
線ファスナの設置構造１０１によれば、見返し生地を無くしたことで、衣服（上衣１）の厚さを薄くすることができるとともに、縫製工数を削減することができる。すなわち、第１の縫い目１１５（１２５）と第２の縫い目１１７（１２７）とで、左右の袖前身頃３，５に線ファスナ１７を設置しているので、縫製工数が削減されている。
【００９９】
また、線ファスナの設置構造１０１によれば、第１の縫い目１１５（１２５）と第２の縫い目１１７（１２７）とで線ファスナ１７が左右の袖前身頃３，５に設置されており、しかも、線ファスナ１７の幅方向の端部（エレメント１０５とは反対側の端部）には処理がされていて、テープ１０３での糸のほつれは無いので、線ファスナ１７からの発塵は無くスマートさがあり、見返し生地が無くても見栄えが悪化していない。
【０１００】
また、線ファスナの設置構造１０１によれば、テープ１０３を縫っている縫い目のうちで、第２の縫い目１１７（１２７）のみが上衣１の表側に現れているので、図８に示した従来のもの（縫い目が片側２つ、両側で４つ表に出ている構成）とは異なり、縫い目を形成している糸から出る糸くず等の飛散を抑制することができる。
【０１０１】
なお、従来の線ファスナの設置構造では、見返し生地を使用して、見返し生地が左右方向で長く延びており、見返し生地の端（線ファスナと接合されている端部とが反対側の端）が、身頃に固定されておらず浮いている。そして、見返し生地と身頃との間にゴミがたまってしまうおそれがある。そこで、見返し生地の端部で身頃に縫合して、見返し生地と身頃との間にゴミが入り込まないようにしている。これにより、縫製工数が増えている。しかし、線ファスナの設置構造１０１では、見返し生地の端部の縫合が不要であり、縫製工数の削減がなされている。
【０１０２】
また、線ファスナの設置構造１０１において、仮固定用縫い目１４５を設ければ、線ファスナの設置構造の生成が容易になる。
【０１０３】
また、上衣１によれば、線ファスナの設置構造１０１ａのエレメント１０５と線ファスナの設置構造１０１ｂのエレメント１０５とを、スライダを用いて接合したときに、線ファスナカバー１１３が、線ファスナの設置構造１０１ａの第２の縫い目１１７を覆うように構成されているので、着用者が上衣１を着用して線ファスナ１７を閉めて作業するとき、上衣１からの発塵を一層抑制することができる。
【０１０４】
なお、上記説明では、上衣を例に掲げて説明したが、上衣１をツナギの上衣部として考えてもよい。すなわち、図１等で示す上衣１に図示しない下衣部（ズボンの部分）を縫合等することで接合し、ツナギを構成してもよい。また、上衣部という文言が、ツナギではなく、上衣そのものだけを指すものと考えてもよい。
【符号の説明】
【０１０５】
１  上衣（上衣部）
３  左袖前身頃
５  右袖前身頃
７  後身頃
２１  左前身頃
２３  左袖
２５，２７，３３，３５  直線部分
２９  右前身頃
３１  右袖
α  交差角度
【図１】
2014167177.tif 000003
【図２】
2014167177.tif 000004
【図３】
2014167177.tif 000005
【図４】
2014167177.tif 000006
【図５】
2014167177.tif 000007
【図６】
2014167177.tif 000008
【図７】
2014167177.tif 000009
【図８】
2014167177.tif 000010